(57)【要約】【課題】コンロでの加熱調理に加えて電子レンジ等の調理用家電を使用する場合における身体的な負担を軽減するとともに、作業効率を高めることが可能な調理用家電の配置を実現し易いキッチンセットを提供する。【解決手段】本発明のキッチンセット１は、ワークトップ２上に、シンク３とコンロ４と、シンク３とコンロ４の間に位置する第１カウンター５と、シンク３に対して第１カウンター５とは逆側に位置する第２カウンター６とを備え、第２カウンター６の幅Ｗ６が、第１カウンター５の幅Ｗ５よりも大きいことを特徴とする。【選択図】図１
2017140293.tif 000002
【特許請求の範囲】
【請求項１】
ワークトップ上に、シンクとコンロと、前記シンクと前記コンロの間に位置する第１カウンターと、前記シンクに対して前記第１カウンターとは逆側に位置する第２カウンターとを備え、
前記第２カウンターの幅が、前記第１カウンターの幅よりも大きいことを特徴とするキッチンセット。
【請求項２】
前記第１カウンターの幅と、前記第２カウンターの幅の和が、前記ワークトップの全体の幅の１／３以上である、請求項１に記載のキッチンセット。
【請求項３】
前記第２カウンターの幅が、前記ワークトップの全体の幅の１／３以上である、請求項２に記載のキッチンセット。
【請求項４】
前記第２カウンターの下方に前方が開放された収納空間が設けられている、請求項１〜３の何れか一項に記載のキッチンセット。
【請求項５】
前記収納空間に、前後にスライド可能な載置台が設けられている、請求項４に記載のキッチンセット。
【請求項６】
前記コンロの上方に設けられたレンジフードと、
前記シンク、前記第１カウンター、及び前記第２カウンターの少なくとも何れかの上方に設けられた吊収納とをさらに備え、
前記吊収納の下端が、前記レンジフードの下端よりも低い位置にある、請求項１〜５の何れか一項に記載のキッチンセット。
【発明の詳細な説明】
【技術分野】
【０００１】
本発明は、シンク、コンロ、及びカウンターを備えたキッチンセットに関する。
【背景技術】
【０００２】
従来、住宅の台所等に設置されるキッチンセットとして、ワークトップ（天板）上に、食器や食材の洗浄等を行うためのシンク（流し台）と、加熱調理を行うためのコンロと、その他の調理作業や調理器具等を一時的に置くための作業スペースとなるカウンターとを備えたキッチンセットが広く知られている。
【０００３】
また近年では、身体機能の低下した高齢者や障害者などにも使い勝手の良いキッチンセットとして、例えば、椅子や車椅子に座った状態でも調理や後片付けの作業が行えるようにシンクやカウンターの下方に膝をいれる空間（ニースペース）を設けたキッチンセットが提案されている（特許文献１参照）。
【先行技術文献】
【特許文献】
【０００４】
【特許文献１】特開２０１１−２４９１０号公報
【発明の概要】
【発明が解決しようとする課題】
【０００５】
ところで、これまでのキッチンセットは、図３に示すキッチンセット１００のように、ワークトップ１０２上の幅方向の両側にシンク１０３とコンロ１０４がそれぞれ配置され、シンク１０３とコンロ１０４の間に、食材の下準備や、料理の盛り付けなどを行うためのカウンター１０５が配置されていることが通例である。このような配置をすることで、カウンター１０５は、シンク１０３での食材の洗浄等に伴う作業、及びコンロ１０４での加熱調理に伴う作業のための作業台として兼用して利用される。
【０００６】
しかし、このようなキッチンセットのカウンターには、電子レンジや炊飯器等の調理用の家電製品（以下、「調理用家電」という。）を設置することを想定した十分な広さが確保されていない。そのため、カウンターに電子レンジ等の調理用家電を設置した場合、カウンターの残された部分は狭くなるため、カウンターを使用する調理作業の効率が低下するという問題が生じる。また、仮に調理用家電の設置を想定した十分な広さのカウンターにするため、キッチンセットの全体の幅を広げた場合（例えば３０００ｍｍ程度）、台所空間の中でのキッチンセットのレイアウトが困難になるだけでなく、調理作業者の横方向の移動距離が長くなるという問題も生じる。そのため、当該調理用家電は、例えばキッチンセットを使用するユーザーの後方や側方に設置した食器棚やテーブル等に置かれていることが多い。
【０００７】
この場合、例えば、コンロで加熱調理をしながら、キッチンセットの後方または側方の食器棚等に置かれた電子レンジで食品の解凍や加熱調理を行う際には、後方に振返る動作や、比較的長い距離を移動する動作が必要となり、調理作業の効率が悪いという問題がある。特に、身体機能が低下しつつある高齢者にとっては、振返りの動作や、長い距離の移動に際して身体的な負担が大きいため、作業効率の低下も顕著となってしまう。
【０００８】
その上、高齢者にとっては、食材の下準備等の作業を必要とせず短時間で簡単に調理できる電子レンジでの調理は都合が良いため、電子レンジの使用頻度は高くなっている。また炊飯器や電気ポットの使用頻度も高いことが分かっている。したがって、このような電子レンジ等の調理用家電を利用する際に、身体的な負担の大きい動作を低減することが望まれている。
【０００９】
また、高齢者向けのキッチンセットとしては、例えば、サービス付き高齢者住宅等に設けられるキッチンセットのように、加熱部が１箇所のみの小型のコンロと、小型のシンクと、それらの間に位置する小型のカウンターとを備えた簡素な構成であり、全体の幅が１５００ｍｍ〜１８００ｍｍ程度のものが多かった。このようなキッチンセットは、ほとんど調理を行わないことを想定した非常に簡素なものであり、適度に料理を楽しみたい自立した高齢者にとっては設備として物足りないものであった。
【００１０】
それゆえ本発明は、コンロでの加熱調理に加えて電子レンジ等の調理用家電を使用する場合における身体的な負担を軽減するとともに、作業効率を高めることが可能な調理用家電の配置を実現し易いキッチンセットを提供することを目的とする。
【課題を解決するための手段】
【００１１】
本発明は、上記課題を解決するためになされたものであり、本発明のキッチンセットは、ワークトップ上に、シンクとコンロと、前記シンクと前記コンロの間に位置する第１カウンターと、前記シンクに対して前記第１カウンターとは逆側に位置する第２カウンターとを備え、
前記第２カウンターの幅が、前記第１カウンターの幅よりも大きいことを特徴とするものである。
【００１２】
また、本発明のキッチンセットにあっては、前記第１カウンターの幅と、前記第２カウンターの幅の和が、前記ワークトップの全体の幅の１／３以上であることが好ましい。
【００１３】
また、本発明のキッチンセットにあっては、前記第２カウンターの幅が、前記ワークトップの全体の幅の１／３以上であることが好ましい。
【００１４】
また、本発明のキッチンセットにあっては、前記第２カウンターの下方に前方が開放された収納空間が設けられていることが好ましい。
【００１５】
また、本発明のキッチンセットにあっては、前記収納空間に、前後にスライド可能な物品を載置可能な載置台が設けられていることが好ましい。
【００１６】
また、本発明のキッチンセットにあっては、前記コンロの上方に設けられたレンジフードと、
前記シンク、前記第１カウンター、及び前記第２カウンターの少なくとも何れかの上方に設けられた吊収納とをさらに備え、
前記吊収納の下端が、前記レンジフードの下端よりも低い位置にあることが好ましい。
【発明の効果】
【００１７】
本発明によれば、コンロでの加熱調理に加えて電子レンジ等の調理用家電を使用する場合における身体的な負担を軽減するとともに、作業効率を高めることが可能な調理用家電の配置を実現し易いキッチンセットを提供することが可能となる。
【図面の簡単な説明】
【００１８】
【図１】本発明の一実施形態に係るキッチンセットのワークトップを示す平面図である。
【図２】図１に示すキッチンセットの正面図である。
【図３】比較例としてのキッチンセットのワークトップを示す平面図である。
【発明を実施するための形態】
【００１９】
以下、図面を参照しつつ、本発明に係るキッチンセットの実施形態について詳細に説明する。図１は、本発明の一実施形態にかかるキッチンセット１を平面図で示したものである。本実施形態のキッチンセット１は、ワークトップ２上に、シンク３、コンロ４、第１カウンター５、及び、第２カウンター６を備えた、直線型（Ｉ型）のキッチンセットである。
【００２０】
シンク３は、水栓７等を備えた公知の構造のものとすることができ、食材、食器、又は調理器具等を洗浄することができるものである。
【００２１】
コンロ４は、電気またはガス等により加熱調理が可能な２つの加熱部４ａを備えている。なお、コンロ４の構造は特に限定されるものではなく、公知のものを適用することができる。
【００２２】
第１カウンター５は、シンク３とコンロ４の間に位置し、加熱前の食材の下準備や、加熱後の食材の盛り付けを行うことが可能な、調理、配膳等の作業スペースである。また、第１カウンター５には、例えばシンク３で洗浄した後の食器や調理器具等を置いておくことも可能である。
【００２３】
第２カウンター６は、シンク３に対して第１カウンター５とは逆側に位置する。言い換えれば、シンク３を挟んで両側に、第１カウンター５及び第２カウンター６が配置されている。また、第２カウンター６の幅Ｗ６は、第１カウンター５の幅Ｗ５よりも大きくなっている。この第２カウンター６には、例えば電子レンジ等の、使用頻度の高い調理用家電を載置することができる。また、第２カウンター６は、第１カウンター５と同様に調理、配膳等の作業スペースとして、また、食器や調理器具等の載置スペースとしても利用可能である。また、第２カウンター６の後方側における内装壁面２０には、調理用家電に電気を供給するためのコンセントが設けられている。
【００２４】
また、図２に示すように、第２カウンター６の下方には、例えば、炊飯器や電気ポット、あるいはトースター等の調理用家電を収納可能な、前方が開放された収納空間８が設けられている。この構成によれば、第２カウンター６に調理用家電を載置できるだけでなく、第２カウンター６の下方の収納空間８においても別の調理用家電を載置できるので、複数の調理用家電を利用する際に、調理をする高齢者等が横に移動する距離を抑えることができ、調理の作業効率を高めることができる。例えば、冷凍したパンを解凍するために第２カウンター６に載置した電子レンジを利用し、続いて、解凍したパンを焼くために収納空間８に載置したトースターを利用する際に、調理をする高齢者等が横に移動する距離を抑えて、効率よく調理をすることができる。
【００２５】
また、収納空間８の下部には、炊飯器や電気ポット等を載置可能な載置台９が、所定の高さで、前後方向にスライド可能に設けられている。具体的には、例えば、載置台９は、ガイドレール及びローラ等を備えたスライド機構により、天板をスライド可能とすることにより形成することができる。このように、収納空間８に前後方向にスライド可能な載置台９を設けたことで、楽な姿勢で、載置台９に載置した炊飯器等を使用することができ、身体的な負担を軽減することができる。このような観点から、載置台９は、ワークトップ２の上面から、３００〜４００ｍｍ低い位置にあることが好ましい。
【００２６】
また、収納空間８に設けられた背板部分には、調理用家電に電気を供給するためのコンセント１０が設けられている。背板の後方には、電気配線や配管等を収容する空間が設けられている。
【００２７】
載置台９の下方には、引出し収納１１が設けられ、調理器具や調味料などの物品を収納可能な構成としている。また、シンク３の下方にはニースペース１２を設けており、椅子や車椅子に座った状態での作業を可能として、長時間にわたる立った状態での作業が困難な高齢者の身体的な負担を軽減することができる。このニースペース１２は、ゴミを置くための空間として利用することも可能である。なお、本実施形態では、コンロ４及び第１カウンター５の下方には、収納空間が設けられているが、ニースペースを設けてもよい。
【００２８】
また、図２に示すように、コンロ４の上方には、コンロ４での加熱調理の際に生じる油煙、蒸気、及び臭い等を外部に排出するためのレンジフード１３が設けられている。図１、２に示すように、レンジフード１３の駆動を操作するスイッチ１５を、キッチンセット１のコンロ４側に隣接する内装壁面２０に、高齢者にとって手の届き易い高さで設けることが好ましい。これにより、レンジフード１３の操作時の身体的負担を軽減することができる。
【００２９】
また、シンク３、第１カウンター５、及び第２カウンター６の上方には、物品を収納可能な吊収納１４が設けられている。吊収納１４は、ヒンジを支点に開閉可能な扉が設けられている。本実施形態にあっては、吊収納１４の下端１４ａは、レンジフード１３の下端１３ａよりも低い位置にある。吊収納１４を下方に配置することで、高いところに手を伸ばす動作が困難な高齢者にとっても容易に吊収納１４を利用することができる。また、吊収納１４を低くすることで、吊収納１４から物品を取り出す際に脚立等を使用する必要が無くなり、高齢者が脚立等から落下して怪我をする危険性を低減することができる。なお、具体的には、吊収納１４の下端１４ａは、レンジフード１３の下端１３ａよりも１００ｍｍ程度低い位置に設定することができ、床面から１４００〜１６００ｍｍの高さとすることができる。また、吊収納１４の下面部には、第２カウンター６を照らすための照明装置が設けられている。
【００３０】
また、吊収納１４の上端１４ｂは、天井面から所定の距離をあけて、下方に位置することが好ましい。このような構成とすることで、上記のような危険性を低減する効果に加え、吊収納１４の上方に、例えばレンジフード１３からの排気管等の配管や、電気配線を収容可能な空間を設けることができる。具体的には、吊収納１４の上端１４ｂは、天井面から３００ｍｍ〜６００ｍｍ程度低い位置に設定することができる。本実施形態では、吊収納１４の幅が、シンク３、第１カウンター５、及び第２カウンター６を合わせた幅の略全体にわたっているが、これに限られるものではなく、吊収納１４の幅や、幅方向の位置は適宜変更可能である。なお、本実施形態では吊収納１４の下端１４ａをレンジフード１３の下端１３ａよりも低い位置に設定しているため、圧迫感を与えないようにするために、吊収納１４の奥行きは通常よりも小さいことが好ましく、例えば、２８０ｍｍ以下とすることができる。
【００３１】
以上のような構成を有する本実施形態のキッチンセット１にあっては、第１カウンター５よりも大きい第２カウンター６を、シンク３に対して第１カウンター５とは逆側に配置し、電子レンジ等の調理用家電を配置する空間をキッチンセット１のワークトップ２上に確保することができる。そのため、コンロ４による加熱調理と、第２カウンター６に載置した電子レンジ等による調理とを行う場合に、後方に振返る動作や、比較的長い距離を移動する動作が発生せず、身体的な負担を軽減できる。よって、快適に調理を行うことができ、作業効率を高めることができる。このような特徴を有する本実施形態のキッチンセット１は、特に、身体機能の低下しつつある高齢者にとって有効である。また、第１カウンター５及び第２カウンター６を設けたことで、調理、配膳のための作業スペースも十分に確保しているため、適度に料理を楽しみたい自立した高齢者にとっても好適である。したがって、本実施形態のキッチンセット１は、例えば、自立した高齢者向けの賃貸住宅に採用したり、高齢者を対象とする住宅のリフォームの際に採用したりすることが特に好ましい。
【００３２】
また、本実施形態のキッチンセット１にあっては、第１カウンター５の幅Ｗ５と第２カウンター６の幅Ｗ６の和が、ワークトップ２全体の幅Ｗ２の１／３以上であることが好ましい。このような構成とすることで、第１カウンター５及び第２カウンター６を合わせた十分な作業スペースの確保と、調理用家電を載置するスペースの確保を両立することができる。
【００３３】
さらに好適には、第２カウンター６の幅Ｗ６が、ワークトップ２全体の幅Ｗ２の１／３以上であることが好ましい。これによれば、ワークトップ２全体における第２カウンター６の割合を、従来よりも格段に大きく確保して、第２カウンター６に電子レンジ等の調理用家電を載置するスペースを確保しながら、さらに作業スペース等も確保することができる。
【００３４】
なお、本実施形態のキッチンセット１は、台所空間において適度な大きさに収めて冷蔵庫やダイニングテーブル等の他の構成物品を載置するスペースを確保するとともに、作業効率が低下しない程度の十分な大きさを確保する観点から、ワークトップ２の全体の幅Ｗ２は、１８００ｍｍ〜２７００ｍｍとすることが好ましく、より好適には、２２００ｍｍ〜２４００ｍｍとすることが望ましい。ワークトップ２の奥行Ｄ２は、６００ｍｍ〜６５０ｍｍとすることが好ましい。また、ワークトップ２の床面からの高さＨ２は、６５０ｍｍ〜８５０ｍｍとすることが好ましく、好適には、８００ｍｍ程度とすることが望ましい。
【００３５】
また、シンク３の幅Ｗ３は、５００ｍｍ〜７００ｍｍであることが好ましく、より好適には、６００ｍｍ程度であることが望ましい。多くの戸建て住宅等では、シンク１０３の幅Ｗ２０３が７５０ｍｍ以上である場合が多く（図３参照）、これに比べてシンク３の幅を小さくすることで、第１カウンター５の幅Ｗ５や第２カウンター６の幅Ｗ６を大きくすることができる。
【００３６】
コンロ４の幅Ｗ４は、４００ｍｍ〜５００ｍｍであることが好ましく、より好適には、４５０ｍｍ程度であることが望ましい。なお、コンロ４は、図１に示すように、矩形の領域の対角線上に設けられた２つの加熱部４ａを備えたものであることが好ましい。このように、同時に２つの加熱部４ａを利用可能とすることで、コンロ４による加熱調理の効率性をある程度確保しつつ、コンロ４の幅Ｗ４を小さくして、第１カウンター５の幅Ｗ５及び第２カウンター６の幅Ｗ６を、大きくすることが可能となる。ここで、図３に示すような、多くの戸建て住宅等に採用されている３つの加熱部１０４ａを備えたコンロ１０４では、コンロ１０４の幅Ｗ２０４が大きくなるため、カウンターの幅Ｗ２０５が小さくなってしまう。また、高齢者にとっては、図３に示す３つの加熱部１０４ａを同時に使用する頻度は低いため、加熱部４ａを２つにしたことによる作業上の悪影響はほとんどない。
【００３７】
また、第１カウンター５の幅Ｗ５は、４００ｍｍ〜７５０ｍｍであることが好ましく、より好適には、４００ｍｍ〜６００ｍｍとしてもよい。これによれば、作業スペースとして、又は食器や調理器具等の置き場所としての機能を十分に発揮することができる。
【００３８】
また、第２カウンター６の幅Ｗ６は、６００ｍｍ〜１２００ｍｍであることが好ましく、これによれば、例えば、幅が４５０ｍｍ程度の電子レンジを、余裕を持って載置することができ、さらに作業スペース等も確保することができる。
【００３９】
本実施形態のキッチンセット１にあっては、対面式よりも、キッチンセット１の奥側の面が、内装壁面に沿うように配置される壁付け式とすることが好ましい。このような構成とすることで、ダイニングテーブルをキッチンセット１の真後ろに配置することができる。これにより、キッチンセット１での調理後に、ダイニングテーブルまで移動する距離が短くなり、また、食事後に後片付けをする際にも、ダイニングテーブルからシンク３までの移動距離が近くなるため、身体的な負担を軽減し、配膳作業や後片付け作業の効率も高めることができる。
【００４０】
以上、図示例に基づき説明したが、本発明は上述の実施形態に限定されるものでなく、特許請求の範囲の記載範囲内で適宜変更することができるものであり、例えば、先の実施形態では、載置台９として天板が、スライド可能な構成としていたが、車輪等が設けられた移動式のワゴンとしてもよい。
【００４１】
また、本発明は、一般の世帯向けの戸建て住宅や集合住宅にも採用可能であるが、高齢者向けの賃貸住宅や、リフォームでの高齢者向けのキッチンセットとして採用することが、特に好適である。高齢者向けの賃貸住宅としては、例えば、４０ｍｍ2〜７０ｍｍ2程度の床面積を有し、１ＬＤＫ〜２ＬＤＫ等の間取りの区画を複数設けた集合住宅とすることができる。より具体的には、ＬＤＫ（リビング・ダイニング・キッチン）で１２畳、あるいはＤＫ（ダイニング・キッチン）で６畳程度の台所空間に設置されることが好適である。
【００４２】
なお、本発明のキッチンセット１は、特に限定されず様々な建物に採用可能であるが、例えば、鉄骨造の軸組みを有する工業化住宅の台所に採用することができる。工業化住宅は、地盤に固定された鉄筋コンクリート造の基礎構造体と、鉄骨造の柱や梁などの軸組部材で構成された軸組架構を有し基礎構造体に固定された上部構造体と、で構成されるものとすることができる。なお、軸組架構を構成する軸組部材は、予め規格化（標準化）されたものとすることができる。また、軸組部材は予め工場にて製造された後、建築現場に搬入されて組み立てられるものとすることができる。
【符号の説明】
【００４３】
１  キッチンセット
２  ワークトップ
３  シンク
４  コンロ
４ａ  加熱部
５  第１カウンター
６  第２カウンター
７  水栓
８  収納空間
９  載置台
１０  コンセント
１１  引出し収納
１２  ニースペース
１３  レンジフード
１３ａ  レンジフードの下端
１４  吊収納
１４ａ  吊収納の下端
１４ｂ  吊収納の上端
１５  スイッチ
２０  内装壁面
【図１】
2017140293.tif 000003
【図２】
2017140293.tif 000004
【図３】
2017140293.tif 000005